(57)【要約】【課題】メダルの計数の自動終了を実現しつつ、モータにかかる負荷を軽減する。【解決手段】各台計数装置３は、排出検知センサ６４が最後にメダルを検知してからの期間が第２所定期間に達すると、メダルを排出路６１に排出するモータ６０の駆動を停止し、メダルの計数を自動終了する。その一方、モータ６０の駆動を開始してからの期間が第１所定期間に達すると、排出検知センサ６４が最後にメダルを検知してからの期間が第２所定期間に達する前であってもモータ６０の駆動を中止し、モータ６０に過度な負荷がかかることを抑制する。【選択図】図１
2013236712.tif 000002
【特許請求の範囲】
【請求項１】
投入口に投入されたメダルを１枚ずつ排出路へ送出する送出部と、前記送出部を駆動する駆動部と、前記排出路を通過するメダルを検知する検知部と、を有し、前記検知部が検知したメダルを計数するメダル計数装置において、
所定の計数開始条件の成立に応じて、前記駆動部の駆動を開始させる計数開始手段と、
前記駆動部が駆動を開始してからの期間を計測する第１期間計測手段と、
前記検知部が最後にメダルを検知してからの期間を計測する第２期間計測手段と、
前記第２期間計測手段により計測された期間が第２所定期間に達したことを条件として前記駆動部の駆動を停止させる計数終了手段と、
前記第１期間計測手段により計測された期間が第１所定期間に達した場合に、前記第２期間計測手段により計測された期間が第２所定期間に達する前であっても前記駆動部の駆動を中止させる計数中止手段と、を備えたことを特徴とするメダル計数装置。
【請求項２】
前記計数中止手段が前記駆動部の駆動を中止させた場合に、中止後の期間を計測する第３期間計測手段を備え、
前記計数開始手段は、前記第３期間計測手段により計測された期間が第３所定期間に達したことを前記所定の計数開始条件の成立として前記駆動部の駆動を再開させることを特徴とする請求項１に記載したメダル計数装置。
【発明の詳細な説明】
【技術分野】
【０００１】
本発明は、投入されたメダルを１枚ずつ排出路へ送出する送出部と、前記送出部を駆動する駆動部と、前記排出路を通過するメダルを検知する検知部と、を備え、前記検知部が検知したメダルを計数するメダル計数装置に関する。
【背景技術】
【０００２】
従来、遊技場においては、遊技者が獲得した遊技媒体を計数装置にて計数し、その計数値に応じた景品との交換取引が行われている。遊技媒体としてメダルを計数する計数装置においては、投入口に投入されたメダルを１枚ずつ排出路へ送出する送出部を駆動部により駆動し、排出路を通過したメダルを検知部により検知してメダルを計数する。又、ボタン操作やメダルの投入検知に応じて送出部を駆動部により駆動してメダルの計数を一旦開始すると、排出路にて最後にメダルを検知してからの時間が所定時間に達するまで駆動部の駆動を継続し、その時間が所定時間に達した時点で駆動部の駆動を終了することも行われている（例えば特許文献１参照）。
【先行技術文献】
【特許文献】
【０００３】
【特許文献１】特開２００８−２２０７５１号公報
【発明の概要】
【発明が解決しようとする課題】
【０００４】
しかしながら、このような仕様は、メダルの計数を自動終了する点で便利である反面、メダルの計数が長時間に亘ると、駆動部を長時間に亘って駆動し続けることになるので、駆動部に過度な負荷がかかり、火災や故障等の原因となり得る。
【０００５】
本発明は、上記した事情に鑑みてなされたものであり、その目的は、メダルの計数の自動終了を実現しつつ、駆動部にかかる負荷を軽減することができるメダル計数装置を提供することにある。
【課題を解決するための手段】
【０００６】
請求項１に記載した発明は、投入口に投入されたメダルを１枚ずつ排出路へ送出する送出部と、前記送出部を駆動する駆動部と、前記排出路を通過するメダルを検知する検知部と、を備え、前記検知部が検知したメダルを計数するメダル計数装置において、所定の計数開始条件の成立に応じて、前記駆動部の駆動を開始させる計数開始手段と、前記駆動部が駆動を開始してからの期間を計測する第１期間計測手段と、前記検知部が最後にメダルを検知してからの期間を計測する第２期間計測手段と、前記第２期間計測手段により計測された期間が第２所定期間に達したことを条件として前記駆動部の駆動を停止させる計数終了手段と、前記第１期間計測手段により計測された期間が第１所定期間に達した場合に、前記第２期間計測手段により計測された期間が第２所定期間に達する前であっても前記駆動部の駆動を中止させる計数中止手段と、を備えたことを特徴とする。
【０００７】
請求項２に記載した発明は、前記計数中止手段が前記駆動部の駆動を中止させた場合に、中止後の期間を計測する第３期間計測手段を備え、前記計数開始手段は、前記第３期間計測手段により計測された期間が第３所定期間に達したことを前記所定の計数開始条件の成立として前記駆動部の駆動を再開させることを特徴とする。
【発明の効果】
【０００８】
請求項１に記載した発明によれば、排出路を通過するメダルを検知する検知部が最後にメダルを検知してからの期間が第２所定期間に達すると、送出部を駆動する駆動部の駆動を停止するようにしたので、メダルの計数を自動終了することができる。その一方、駆動部が駆動を開始してからの期間が第１所定期間に達すると、検知部が最後にメダルを検知してからの期間が第２所定期間に達する前であっても駆動部の駆動を中止するようにしたので、駆動部に過度な負荷がかかることを抑制することができる。特に各遊技機に対応して台間に設けられる各台計数装置においては、複数の遊技機からなる遊技島に設けられる島端計数装置よりも性能が劣るのが一般的であり、又、遊技者がメダルを長期間に亘って投入し続ける可能性が高いので、顕著な効果を得ることができる。
【０００９】
請求項２に記載した発明によれば、駆動部の駆動を中止した場合に、中止後の期間が第３所定期間に達すると、駆動部の駆動を再開するようにしたので、駆動部に過度な負荷がかかることを抑制することができつつ、メダルを効率的に計数することができる。
【図面の簡単な説明】
【００１０】
【図１】本発明の一実施形態を示す各台計数装置を含む全体構成図
【図２】各台計数装置の正面図（ａ）、縦断側面図（ｂ）及び回転盤本体の平面図（ｃ）
【図３】各台計数装置の機能ブロック図
【図４】モータ駆動制御処理を示すフローチャート
【発明を実施するための形態】
【００１１】
以下、本発明のメダル計数装置を、遊技機に対応して設けられる各台計数装置に適用した一実施形態について、図面を参照して説明する。図１は遊技場用管理システム１の全体構成を概略的に示している。遊技場には、遊技機としてのスロットマシン２に対応して各台計数装置３及び表示装置４が設置されている。２台のスロットマシン２、２台の各台計数装置３及び２台の表示装置４は１台の中継装置５に接続されており、中継装置５はＬＡＮ６を介して管理装置７に接続されている。管理装置７は、遊技場内の例えば管理室に設置されており、主装置８、遊技場の管理者が操作するマウス９及びキーボード１０、モニタ１１やプリンタ（図示せず）等が組み合わされて構成されている。尚、図１では省略しているが、数１００台のスロットマシン２が管理装置７の管理対象となる。又、本実施形態では上記したように遊技機がスロットマシン２であることから、遊技価値（遊技媒体）はメダルである。遊技機がパチンコ機であれば、遊技価値はパチンコ玉である。
【００１２】
スロットマシン２は、遊技者がリールを視認可能な表示窓１２、有効化された入賞ラインを示す有効ライン表示部１３、表示パネル１４、クレジットメダルの投入を行うクレジットボタン１５、クレジットメダルの精算を行う精算ボタン１６、メダルを投入するメダル投入口１７、スタートレバー１８、左ストップボタン１９、中ストップボタン２０、右ストップボタン２１、受け皿２２等を有する。受け皿２２には「６００〜８００枚」のメダル（貸単価が「２０円」であれば「１２０００〜１６０００円」相当のメダル）が収納可能である。
【００１３】
スロットマシン２は、メダルが投入された状態でスタートレバー１８が操作されると（ゲーム開始操作が行われると）、各リールを始動（回転）させ、発生する乱数の中から１つの乱数を抽出して内部抽選を実行すると共に、内部当選役がある場合には当該内部当選役に対応するフラグを成立させ、この状態で各ストップボタン１９〜２１が操作されると、対応するリールの回転を停止させる。続いて、内部当選役のフラグに応じて各リールの停止位置を決定するための図示しない停止テーブルに基づいて、所謂引込制御（すべり制御）を含む停止制御（各リールを内部当選役フラグの種類に応じた入賞図柄又はハズレ図柄で停止表示させる制御）を実行する。引込制御は、各ストップボタン１９〜２１の操作を検知した時点から予め規定された引込範囲（最大で４図柄まで）にある図柄を入賞ライン上に引込んで停止させることが可能な制御である。尚、内部当選役フラグに対応する図柄が引込範囲内に存在しないときは、その図柄を入賞ライン上に引き込んで停止させることができないので、入賞が発生せず、所謂取りこぼしとなる。
【００１４】
スロットマシン２は、以下に示す遊技信号を出力する。
「アウト信号」：遊技に使用された遊技価値数（使用数、アウト）を特定可能な使用信号である。ゲームの開始操作に応じてＢＥＴ状態のメダル数（３枚又は１枚）分がパルス出力されるので、アウト信号数×１をアウトとして特定する。尚、リプレイ役入賞時にも対応分が出力される。
「セーフ信号」：遊技者に付与した（遊技者が獲得した）遊技価値数（付与数、セーフ）を特定可能な付与信号である。メダルが１枚払出される毎に１パルスが出力されるので、セーフ信号数×１をセーフとして特定する。尚、リプレイ役入賞時にも、そのゲームに使用されたメダル分が出力される。
【００１５】
「ＢＢ信号」：ＢＢ（ビッグボーナス）状態を特定可能な信号である。ＢＢ状態中にレベル出力されるので、ＢＢ信号入力中をＢＢ状態中として特定する。大当たり状態の発生を特定可能な大当たり信号である。
「ＲＢ信号」：ＲＢ（レギュラーボーナス）状態を特定可能な信号である。ＲＢ状態中にレベル出力されるので、ＲＢ信号入力中をＲＢ状態中として特定する。ＢＢ信号と同様に、大当たり状態の発生を特定可能な大当たり信号である。
【００１６】
表示装置４は、各種の遊技情報（ＢＢ状態やＲＢ状態の発生回数、スタート回数、ＡＲＴの発生回数、平均獲得枚数等）を表示する情報表示部２３、遊技場の従業員を呼出すときに遊技者が押下する呼出ボタンや情報表示部２３が表示する遊技情報を切替えるときに遊技者が押下する切替ボタン等を含む操作部２４、遊技場の従業員が所持する操作リモコン（図示せず）から送信されたリモコン信号を受信する受光部２５等を有する。又、表示装置４は、ＣＰＵ、ＲＯＭ、ＲＡＭ、Ｉ／Ｏを有するマイクロコンピュータにより構成される制御部、スロットマシン２や各台計数装置３や管理装置７との間で各種信号を入出力する入出力部等を有する。
【００１７】
表示装置４は、制御部が予め記憶している制御プログラムを実行し、スロットマシン２から遊技信号（アウト信号、セーフ信号、ＢＢ信号、ＲＢ信号）を入力したり、遊技者が操作部２４を操作したり、操作リモコンからリモコン信号を受光部２５により受信したりすることで、各種の遊技情報を情報表示部２３に表示する等の処理を行う。尚、表示装置４は、リモコン信号を受光部２５により受信すると、その受信したリモコン信号を特定可能な信号を各台計数装置３に出力する。
【００１８】
管理装置７は、ＣＰＵ、ＲＯＭ、ＲＡＭ、Ｉ／Ｏを有するマイクロコンピュータにより構成される制御部、スロットマシン２や各台計数装置３や表示装置４との間で各種信号を入出力する入出力部等を有する。管理装置７は、制御部が予め記憶している制御プログラムを実行し、スロットマシン２から入力する遊技信号（アウト信号、セーフ信号、ＢＢ信号、ＲＢ信号）、各台計数装置３から入力する貸出信号等に基づいて、スロットマシン２の遊技情報（アウト、セーフ、差メダル、ＢＢ回数、ＲＢ回数等）を集計したり、貸出情報（売上情報）を算出したりする等の処理を行う。
【００１９】
各台計数装置３は、図２にも示すように、その筐体２６の正面２６ａ側に、各台計数装置３の動作状態を示す状態表示ランプ２７、遊技者が紙幣を投入するための紙幣投入口２８、遊技者が会員カードや持玉券を挿入したり新規の持玉券を発行したりするためのカード挿入口２９、テンキーを含むパスワード入力ボタン群３０や貸出ボタン３１や計数ボタン３２や払出ボタン３３や発行ボタン３４を含む操作部３５、残クレジット数を表示する残クレジット数表示部３６、持玉数（後述する計数済持玉数であり、計数部４１により計数した計数値から払出部４０により払い出した払出値を差し引いた持玉数）を表示する持玉数表示部３７、遊技者がメダルを取り出すための取出口３８、遊技者がメダルを投入する投入口３９等を有する。
【００２０】
筐体２６の内部には、メダルを払出す払出部４０、メダルを計数する計数部４１が設けられている。筐体２６の裏面２６ｂ側には、メダルを各台計数装置３に補給する補給路４２、メダルを各台計数装置３から回収する回収路４３が設けられている。
【００２１】
払出部４０は、メダルを収納する収納容器４４、回転盤４５を有する回転盤本体４６、回転盤４５を回転させるモータ４７、回転盤本体４６から上記した取出口３８にメダルを排出する排出路４８等を有する。収納容器４４にはメダルを回転盤本体４６へ排出する排出路４９が一体的に形成されており、その排出路４９の途中部位には補給検知センサ５０が設けられている。又、回転盤本体４６から取出口３８に連なる排出路４８の途中部位には払出検知センサ５１が設けられている。
【００２２】
払出部４０においては、補給路４２から筐体２６の裏面２６ｂの開口部５２を介してメダルが補給されると、その補給されたメダルは収納容器４４に収納されて排出路４９の補給検知センサ５０を通過して回転盤本体４６へ排出される。回転盤本体４６へ排出されたメダルは回転盤４５がモータ４７により回転軸５３を回転中心として例えば反時計周りに回転することで、回転盤４５に形成されている５個の穴部５４のうち何れかに挿入された状態で所定位置まで回転されると、ガイドピン５５により排出路４８へ送出される。排出路４８へ送出されたメダルは払出検知センサ５１を通過した後に筐体２６の正面２６ａの開口部５６を介して取出口３８へ排出される。
【００２３】
計数部４１は、基本的には上記した払出部４０と同様の構造である。計数部４１は、メダルを収納する収納容器５７、回転盤５８（送出部に相当）を有する回転盤本体５９、回転盤５８を回転させるモータ６０（駆動部に相当）、回転盤本体５９から上記した回収路４３にメダルを排出する排出路６１等を有する。収納容器５７にはメダルを回転盤本体５９へ排出する排出路６２が一体的に形成されており、その排出路６２の途中部位には投入検知センサ６３が設けられている。又、回転盤本体５９から回収路４３に連なる排出路６１の途中部位には排出検知センサ６４（検知部に相当）が設けられている。
【００２４】
計数部４１においては、遊技者がメダルを投入口３９に投入すると、その投入されたメダルは筐体２６の正面２６ａの開口部６５を介して収納容器５７に収納されて排出路６２の投入検知センサ６３を通過して回転盤本体５９へ排出される。回転盤本体５９へ排出されたメダルは回転盤５８がモータ６０により回転軸６６を回転中心として例えば反時計周りに回転することで、回転盤５８に形成されている５個の穴部６７のうち何れかに挿入された状態で所定位置まで回転されると、ガイドピン６８により排出路６１へ送出される。排出路６１へ送出されたメダルは排出検知センサ６４を通過した後に筐体２６の裏面２６ｂの開口部６９を介して回収路４３へ排出される。そして、回収路４３へ排出されたメダルはベルトコンベア７０により排出される。
【００２５】
図３は、各台計数装置３の電気的な構成を機能ブロック図により示している。制御部７１（計数開始手段、第１期間計測手段、第２期間計測手段、計数終了手段、計数中止手段、第３期間計測手段に相当）は、ＣＰＵ７１ａ、ＲＯＭ７１ｂ、ＲＡＭ７１ｃ、Ｉ／Ｏ７１ｄを有するマイクロコンピュータにより構成されており、状態表示ランプ２７、操作部３５、残クレジット数表示部３６、持玉数表示部３７、紙幣投入口２８に投入された紙幣を処理する（種類や枚数等を判定する）紙幣処理部７２、カード挿入口２９に挿入された会員カードに記録されている会員ＩＤや貯玉数を読み出したり更新したり、カード挿入口２９に挿入された持玉券に記録されている計数済持玉数を読み出したり更新したり、新しく発行する持玉券に計数済持玉数を記録したりするカード処理部７３、払出部４０、計数部４１を接続している。尚、制御部７１を含む他の機能ブロック（紙幣処理部７２やカード処理部７３等）は、上記した払出部４０及び計数部４１と共に、筐体２６の内部に収容されている。具体的には、図２では制御部７１のみを示すが、紙幣処理部７２は紙幣投入口２８の背後に設置され、カード処理部７３はカード挿入口２９の背後に設置される。
【００２６】
制御部７１は、駆動指令信号を払出部４０のモータ４７に出力することで、メダルを貸し出したり払い出したりする。このとき、補給検知センサ５０は、メダルが通過する毎に検知信号を制御部７１に出力し、制御部７１は、補給検知センサ５０から検知信号を入力することで、メダルの貸し出しや払い出しを検知する。又、払出検知センサ５１は、メダルが通過する毎に検知信号を制御部７１に出力し、制御部７１は、払出検知センサ５１から検知信号を入力することで、貸し出されたり払い出されたりするメダルの枚数を検知する。
【００２７】
同様に、制御部７１は、駆動指令信号を計数部４１のモータ６０に出力することで、遊技者が投入したメダルを計数する。このとき、投入検知センサ６３は、メダルが通過する毎に検知信号を制御部７１に出力し、制御部７１は、投入検知センサ６３から検知信号を入力することで、メダルの投入を検知する。又、排出検知センサ６４は、メダルが通過する毎に検知信号を制御部７１に出力し、制御部７１は、排出検知センサ６４から検知信号を入力することで、投入されたメダルの枚数を検知する。
【００２８】
各台計数装置３は、制御部７１が予め記憶している制御プログラムを実行することで以下に示すメダルの貸出、メダルの計数、メダルの払出、持玉券の発行を行う。
（１）メダルの貸出
「千円札」、「２千円札」、「５千円札」、「１万円札」の４種類の紙幣を紙幣投入口２８にて受付可能であり、何れかの紙幣を紙幣投入口２８にて受付けると、５０枚のメダルを払出部４０により貸し出す。即ち、例えばメダルの貸単価が２０円であれば、１０００円分に相当するメダルを貸し出す。この場合、「千円札」の紙幣を紙幣投入口２８にて受付けていれば、１０００円分に相当する５０枚のメダルを貸し出し、残クレジット数（メダルに換金していない金額）を０円として記憶し、「５千円札」の紙幣を紙幣投入口２８にて受付けていれば、１０００円分に相当する５０枚のメダルを貸し出し、残クレジット数を４０００円として記憶する。尚、メダルを５枚貸し出す毎に貸出信号を１パルスで出力する。即ち、１０００円分に相当する５０枚のメダルを貸出す際には貸出信号を１０パルスで出力する。貸出信号数×５が貸出メダル数に相当し、その貸出メダル数に貸出単価を乗じた値が売上額に相当する。残クレジット数がある状態では、遊技者が貸出ボタン３１を押下する毎に、１０００円分のメダルを払出部４０により貸し出し、残クレジット数を更新する。
【００２９】
（２）メダルの計数
遊技者がメダルを投入口３９に投入したことに応じて、投入検知センサ６３がメダルを検知すると、投入口３９から計数部４１へ排出されたメダルを計数部４１により計数する（回転盤５８を回転させてメダルを排出検知センサ６４へ排出し、排出したメダルを検知する）。排出検知センサ６４がメダルを検知することに応じて、計数部４１により計数した計数値から払出部４０により払い出した払出値を差し引いた計数済持玉数をカウントアップする。排出検知センサ６４が最後にメダルを検知してからの時間を計測し、その時間が５秒に達すると、回転盤５８を１秒間逆方向に回転させ、更に回転盤５８を５秒間順方向に回転させる。その間に、排出検知センサ６４がメダルを検知しなければ、計数を終了する。回転盤５８を逆方向に回転させるのは、メダル詰まりを解消するためである。
【００３０】
計数を開始してから（投入検知センサ６３が最初にメダルを検知してから）の時間を計測し、その時間が５分に達すると、計数を中止する。その後、計数を中止してからの時間を計測し、その時間が１分に達すると、計数を再開する。尚、通常では計数ボタン３２を緑色点灯させるが、計数を中止している期間では計数ボタン３２を赤色点灯させる。又、計数を中止する条件は、上記したような時間を採用することに限らず、計数値を採用しても良い。即ち、計数を開始してからの計数値が所定値に達すると、計数を中止しても良い。又、時間と計数値とを併用しても良く、計数を開始してから時間が５分に達するか、又は計数を開始してからの計数値が所定値に達するかの何れかの条件が成立すると、計数を中止しても良い。上記したように基本的には計数を自動的に開始するが、メダルが詰まった（回転盤５８の回転が停止した）場合や投入検知センサ６３がメダルを検知しなかった場合には、遊技者が計数ボタン３２を押下したことを契機として計数を開始する。
【００３１】
（３）メダルの払出
遊技者が払出ボタン３３を押下すると、計数済持玉数が５０枚以上であれば、その範囲内でメダルを５０枚単位で払出部４０により払い出し、計数済持玉数が５０枚未満であれば、その５０枚未満の全てのメダルを払出部４０により払い出す。
【００３２】
（４）持玉券の発行
遊技者が発行ボタン３４を押下すると、計数済持玉数を持玉券に記録し、その計数済持玉数を記録した持玉券をカード挿入口２９から発行すると共に、発行した持玉券に固有のＩＤ（持玉券ＩＤ）と計数済持玉数とを対応付けた信号を管理装置７に出力する。但し、計数済持玉数が所定の発行下限数（遊技場側の設定値であり、例えば５０枚）未満である場合には、持玉券を発行しない。尚、会員カードが挿入されている状態で遊技者が発行ボタン３４を押下した場合には、計数済持玉数に関わらず、その会員カードのＩＤに対応する貯玉情報（当日貯玉数）を更新した後に会員カードをカード挿入口２９から発行する。
【００３３】
次に、上記した構成の作用について、図４を参照して説明する。図４は、各台計数装置３において、制御部７１が本発明に関連して行うモータ駆動制御処理をフローチャートにより示している。制御部７１は、各台計数装置３に電源が投入されている状態ではモータ駆動制御処理を所定周期で定期的に実行する。
【００３４】
制御部７１は、モータ駆動制御処理を開始すると、投入検知センサ６３がメダルを検知した（所定の計数開始条件が成立した）か否かを判定すると共に、排出検知センサ６４がメダルを検知したか否かを判定する（Ｓ１：Ｓ２）。制御部７１は、投入検知センサ６３から検知信号を入力し、投入検知センサ６３がメダルを検知したと判定すると（Ｓ１：ＹＥＳ）、駆動指令信号を計数部４１のモータ６０に出力し、モータ６０の駆動を開始させる（Ｓ３）。この場合、制御部７１は、モータ６０の回転軸を順方向に回転させることで、回転盤５８を順方向（例えば反時計周り方向）に回転させる。そして、制御部７１は、モータ６０が駆動を開始してからの時間を計測するための第１タイマを作動開始する（Ｓ４）。又、制御部７１は、モータ６０の駆動を開始させたことに応じて、排出検知センサ６４から検知信号を入力し、排出検知センサ６４がメダルを検知したと判定すると（Ｓ２：ＹＥＳ）、排出検知センサ６４が最後にメダルを検知してからの時間を計測するための第２タイマを作動開始する（Ｓ５）。
【００３５】
制御部７１は、第２タイマを作動開始した後に、第２タイマにより計測された時間が５秒に達したと判定すると（Ｓ６：ＹＥＳ）、その第２タイマにより計測された時間が６秒に達するまで、モータ６０の回転軸を逆方向に回転させることで、回転盤５８を逆方向（例えば時計周り方向）に回転させる（Ｓ７）。次いで、制御部７１は、第２タイマにより計測された時間が６秒に達したと判定すると（Ｓ８：ＹＥＳ）、その第２タイマにより計測された時間が１１秒に達するまで、モータ６０の回転軸を順方向に回転させることで、回転盤５８を再び順方向に回転させる（Ｓ９）。即ち、各台計数装置３は、回転盤５８を順方向に５秒間回転させ、回転盤５８を逆方向に１秒間回転させ、回転盤５８を順方向に５秒間回転させる。
【００３６】
又、制御部７１は、第２タイマにより計測された時間が１１秒（第２所定期間に相当）に達したと判定すると（Ｓ１０：ＹＥＳ）、駆動指令信号のモータ６０への出力を停止し、モータ６０の駆動を停止させる（Ｓ１１）。
【００３７】
又、制御部７１は、第１タイマを作動開始した後に、第１タイマにより計測された時間が５分（第１所定期間に相当）に達したと判定すると（Ｓ１２：ＹＥＳ）、駆動指令信号のモータ６０への出力を中止し、モータ６０の駆動を中止させ（Ｓ１３）、モータ６０が駆動を中止してからの時間を計測するための第３タイマを作動開始する（Ｓ１４）。そして、制御部７１は、第３タイマを作動開始した後に、第３タイマにより計測された時間が１分（第３所定期間に相当）に達したと判定すると（Ｓ１５：ＹＥＳ）、駆動指令信号のモータ６０への出力を再開し、モータ６０の駆動を再開させる（Ｓ１６）。
【００３８】
以上に説明したように本実施形態によれば、各台計数装置３において、排出検知センサ６４が最後にメダルを検知してからの期間が第２所定期間である１１秒に達すると、モータ６０の駆動を停止するようにしたので、メダルの計数を自動終了することができる。その一方、モータ６０の駆動を開始してからの期間が第１所定期間である５分に達すると、
排出検知センサ６４が最後にメダルを検知してからの期間が第２所定期間である１１秒に達する前であってもモータ６０の駆動を中止するようにしたので、モータ６０に過度な負荷がかかることを抑制することができる。特に本実施形態に示したようにスロットマシン２毎に設けられる各台計数装置３においては、島端計数装置よりも性能が劣るのが一般的であり、又、遊技者がメダルを長期間に亘って投入し続ける可能性が高いので、顕著な効果を得ることができる。
【００３９】
又、モータ６０の駆動を中止した場合に、中止後の期間が第３所定期間である１分に達すると、モータ６０の駆動を再開するようにしたので、モータ６０に過度な負荷がかかることを抑制することができつつ、メダルを効率的に計数することができる。
【００４０】
本発明は、上記した実施形態にのみ限定されるものではなく、以下のように変形又は拡張することができる。
第１の所定期間、第２の所定期間、第３の所定期間は、それぞれ例示した５分、１１秒、１分以外の値であっても良い。又、これらの期間は、例えば各台計数装置３を製造する製造メーカが初期値として設定する時間であっても良いし、遊技場の管理者が任意に設定可能な時間であっても良い。又、同一営業日の時間帯に応じて自動的に設定変更可能な時間であっても良い。例えば閉店時刻に近い時間帯等では遊技者がメダルを計数する可能性が高く、その場合、メダルの計数中にも拘らずモータ６０の駆動を頻繁に中止してしまうと、その分、メダルを計数し終えるまでに時間がかかり、遊技場からの退出が遅くなるので、モータ６０の駆動を中止するまでの期間である第１の所定期間を通常（閉店時刻に近い時間帯を除く時間帯）よりも長く設定変更したり、モータ６０の駆動を再開するまでの期間である第３の所定期間を通常（閉店時刻に近い時間帯を除く時間帯）よりも短く設定変更したりしても良い。又、モータ６０の耐用期間を考慮し、各台計数装置３の使用期間（モータ６０の使用頻度、遊技場に設置されてからの稼働日数等）に応じて段階的に設定変更しても良い。即ち、各台計数装置３の使用期間が短ければ、第１の所定期間を長く設定する一方、各台計数装置３の使用期間が長ければ、第１の所定期間を短く設定するようにしても良い。
【００４１】
遊技者が投入した紙幣を受付けることでメダルを貸し出す機構と、遊技者が払出ボタン３３を押下したことでメダルを払い出す機構とが、払出部４０として兼用される構成を例示したが、それらが別々に設けられる構成でも良い。
払出部４０と計数部４１とが同一の筐体２６内に収容される構成を例示したが、払出部４０及び計数部４１がスロットマシン２毎に設けられる構成であれば、別々の筐体内に収容される構成でも良い。
スロットマシン２毎に設けられる各台計数装置３に限らず、遊技島に設けられる島端計数装置に適用しても良い。
例えばタイマによる時間の計測を中継装置５や管理装置７が行う等、各台計数装置３が行う情報処理の一部を他の装置にて行っても良い。即ち、本願発明でいうメダル計数装置は、各台計数装置３のみならず中継装置５や管理装置７等を含む広義の概念を含んでも良い。
【符号の説明】
【００４２】
図面中、３は各台計数装置（メダル計数装置）、３９は投入口、５８は回転盤（送出部）、６０はモータ（駆動部）、６１は排出路、６４は排出検知センサ（検知部）、７１は制御部（計数開始手段、第１期間計測手段、第２期間計測手段、計数終了手段、計数中止手段、第３期間計測手段）である。
【図１】
2013236712.tif 000003
【図２】
2013236712.tif 000004
【図３】
2013236712.tif 000005
【図４】
2013236712.tif 000006